(57)【要約】【課題】キャスターにより大型のクーラーボックスでも容易に持ち運びできるよにうするとともに、岩場等の足場の悪い場所でも安定して置くことができるようにすることを目的とするものである。【解決手段】下方隅部に、キャスターの車輪を折り込み可能な状態で取り付けるとともに、車輪を下方側に突出させた状態で固定させ得るロック装置を配置させたことを特徴とするクーラーボックス。【選択図】  図１
2004329037.tif 000002
【特許請求の範囲】
【請求項１】
下方隅部に、キャスター２の車輪３を折り込み可能な状態で取り付けるとともに、車輪３を下方側に突出させた状態で固定させ得るロック装置４を配置させたことを特徴とするクーラーボックス。
【発明の詳細な説明】
【０００１】
【発明が属する技術分野】
この発明は、携帯式のクーラーボックスの改良に関するものである。
【０００２】
【従来の技術】
釣りを行なう場合、クーラーボックスは必需品であり、釣り場にクーラーボックスを携行する必要があるのであるが、大型のクーラーボックスの場合は持ち運びが大変であり、最近では、底にキャスターを取り付けた構成のものが出現しているのである。
【０００３】
【０００３】
【発明が解決しようとする課題】
しかし、磯釣り等の際に使用されるクーラーボックスは大型のものが多く、底にキャスターが付いていれば、平坦な場所での移動には便利であるが、磯釣等は足場の悪い岩場で行なわれることが多く、そのような場所にキャスター付のクーラーボックスを置いた場合、非常に安定性が悪くなり、例えストッパー付きのキャスターを使用したとしても、岩場を滑り落ちたり、転倒したりする可能性があり、クーラーボックスを安全に置ける場所を探すのに苦慮することになるのである。安定して置ける場所が近くに見つからないような場合には、手元にクーラーボックス等を置いて使用することができないという不便さがあるのである。
【０００４】
この発明は、キャスター付きのクーラーボックスの改良に関するものであって、従来のものにみられた上記のような欠点を除去しようとするものである。
【０００５】
【課題を解決するための手段】
下方隅部に、キャスターの車輪を折り込み可能な状態にして上方に引き込めるようにして取り付けるとともに、車輪を下方側に突出させた状態で固定させ得るロック装置を配置させることにより、不安定な場所での使用に際しては、キャスターの車輪を引き込めるようにした構成となっているのである。
【０００６】
【実施例】
図面にもとづいて、この発明の実施例を説明すると、クーラーボックス本体１は、図１乃至図５に示すとおり、断熱処理した箱体５と、車輪３を折り込み可能に構成したキャスター２とからなり、車輪３を箱体５の内部に引き込み得るようにして取り付けるとともに、車輪３を下方側に突出させた状態で固定させ得るロック装置４を配置させた構成となっているのである。
【０００７】
すなわち、箱部５は、上方に蓋６を有するとともに、各壁面、蓋、並びに底面に断熱処理がなされており、また、その底面の隅部には、キャスター２を納め得る形の凹部８が形成されており、また、凹部８の手前側部には、操作板１５を露出させるための窓が形成された構成と構成となっており、キャスター２の取り付けは、キャスター２に形成した孔３５から螺子を差し入れて、底部に螺子止めすることによって行なわれるのである。
【０００８】
キャスター２は、図３乃至図４に示すとおり、箱体５への取り付け部９、車輪支持板１０、車輪保持枠１１、並びに車輪３から構成されており、取り付け部９と車輪支持板１０とはヒンジ部１２により揺動自在の状態として取り付けられるとともに、車輪支持部１０の裏面部に車輪保持枠１１を回動自在の状態として取り付けた構成となっているのである。
【０００９】
ロック装置４は、車輪支持板１０の先端縁部に取り付けたボルト１３と、取り付け部９の側部に配置形成されるとともに、ボルト１３の先端部を差し入れ得る切り込み長孔１４を有する操作板１５、並びボルト１３の先端部に螺合させる蝶螺子１６とからなっており、ボルト１３を長孔１４内に差し入れた状態になるように組み立てることによって、長孔１４の範囲内で車輪支持板１０を揺動させ得る一方、蝶螺子１６を締め付けることによって、任意の位置で車輪支持板１０を固定させ得る構成となっているのである。長孔１４は９０度の範囲で形成されており、従って、車輪支持板１０が垂直状態から水平状態に到る任意の位置での固定が可能となるように形成されているのである。
【００１０】
キャスター２は、取り付け部９に形成された孔１７・・・内にビスを入れ、箱体５の底面部にビス止することによって箱体５に取り付けられるのであるが、箱体５に取り付けた場合、車輪支持板１０が水平状態になるようにして固定することによって、キャスター２の車輪３が箱体５の底面から突出した状態とさせ得る一方、車輪支持板１０を垂直状態にして固定することよって、箱体５の底面から車輪３を引き入れた状態にしてロックし得る構成となっているのである。
【００１１】
図６乃至図９は、ロック装置４の別実施例を示すものでり、ロック装置４は、車輪支持板１０の側部に孔１９ａ・１９ｂを有する側板２０を形成する一方、該側板２０の側部にロック軸２１を有する側板２２を配置させ、ロック軸２１の操作によりキャスター２の車輪３の出し入れ操作とロック操作を行な得るようにしたものである。
【００１２】
すなわち、ロック軸２１は、鍔２３を有する棒軸２４、バネ２５、棒軸２４を摺動自在の状態で保持し得るとともに、内部にバネ２５を収容し、前面開口部に螺子を形成したケース２６、並びに棒軸２４を差し入れ得る孔３３を有し、手前側にケース２６の開口部への取り付け螺子部３１を有するキャップ２７、並びに棒軸２４の後端部に取り付ける摘み２８とからなり、棒軸２４の鍔２３にバネ２５を当接させた状態にしてケース２６内に納め、その後端部に摘み２８を配置させて螺子２９により固定した後、ケース２６の前部を側板２２に形成した孔３０の外縁部に位置させ、側板２２の反対側からキャップ２７の螺子部３１を孔３０内に差し入れてケース２６の螺子部に螺合させることによって、側板２２にロック軸２１を取り付けた構成となっているのである。それにより、摘み２８を手前側に引っ張れば、キャスター２の車輪３は、ヒンジ部１２に配置されたバネ３２の付勢により、箱体５の底部から出た状態となり、その状態で摘み２８を離せば、棒軸２１の先端部が側板２０の孔１９ａに入り込み、車輪３が出た状態でロックされ、また、摘み２８を引っ張った状態にして手で車輪を押し入れ、摘み２８を離せば、棒軸２１の先端が側板２０の孔１９ｂに入り込み、車輪３を凹部８内に引き込んだ状態として固定されることになるのである。
【００１３】
【発明の効果】
この発明にかかるクーラーボックス本体１は、上記のような構成であり、釣り場にクーラーボックスを携行する場合に、キャスターを使用し、大型のクーラーボックスでも手軽に移動させ得るとう利点があるとともに、磯釣り等、凹凸の激しい岩場で使用するような場合にあっては、キャスターを引き込むことによって、安定した状態で置くことができるという利点があるのである。
【図面の簡単な説明】
【図１】クーラーボックス全体を示す正面図である。
【図２】クーラーボックス全体を示す正面図である。
【図３】キャスターのロック装置の構成を示す分解斜視図である。
【図４】車輪を引き入れた状態を示す斜視図である。
【図５】車輪を出した状態でのロック状態を示す斜視図である。
【図６】キャスターのロック装置の構成を示す分解斜視図である。
【図７】キャスターのロック装置の構成を示す分解斜視図である。
【図８】車輪を出した状態でのロック状態を示す斜視図である。
【図９】車輪を引き入れた状態でのロック状態を示す斜視図である。
【符号の説明】
１    クーラーボックス本体
２    キャスター
３    車輪
４    ロック装置
【図１】
2004329037.tif 000003
【図２】
2004329037.tif 000004
【図３】
2004329037.tif 000005
【図４】
2004329037.tif 000006
【図５】
2004329037.tif 000007
【図６】
2004329037.tif 000008
【図７】
2004329037.tif 000009
【図８】
2004329037.tif 000010
【図９】
2004329037.tif 000011